(57)【要約】      （修正有）【課題】外面に収納部を有しないバッグの使い勝手を向上させるバッグ用カバーを提供する。【解決手段】カバーは樹脂製のシート材にて縫製され、バッグの本体部１に対し上方から被せ付け可能な袋状の形態に形成されており、引き手３を開口部７を通して挿通させることができる。カバーの側面部５Ａには複数の収納部６が形成され、小物類をそれぞれ収納することができる。カバー自体は外面に収納部を有さなくても、カバーを装着することにより、簡易な収納スペースを確保することができ、バッグの使い勝手を向上させることができる。【選択図】図１
0003185271.tif 000002
【実用新案登録請求の範囲】
【請求項１】
バッグとは別個に設けられ、前記バッグの外面に取付け可能なバッグ用カバーであって、
小物類を収容するための収容部が形成されていることを特徴とするバッグ用カバー。
【請求項２】
前記バッグに被せ付け可能な袋状の形態をなしていることを特徴とする請求項１記載のバッグ用カバー。
【請求項３】
前記バッグが伸縮可能な引き手とキャスターとを備えたキャリーバッグであることを特徴とする請求項１又は請求項２記載のバッグ用カバー。
【請求項４】
前記バッグの上面側から被せ付け可能な袋状に形成されるとともに、前記引き手を挿通可能な開口部が形成されていることを特徴とする請求項１ないし請求項３のいずれか１項に記載のバッグ用カバー。
【請求項５】
前記バッグの上面側から被せ付けるための開口面の縁部には、開閉可能なスライド式ファスナーが設けられていることを特徴とする請求項４に記載のバッグ用カバー。
【請求項６】
前面に犬等を模した立体キャラクターが取付けられていることを特徴とする請求項３ないし請求項５のいずれか１項に記載のバッグ用カバー。
【請求項７】
前記立体キャラクターは、内部への空気の注入および抜き取りによって膨張・収縮が可能となっていることを特徴とする請求項６に記載のバッグ用カバー。
【考案の詳細な説明】
【技術分野】
【０００１】
本考案はバッグ用カバーに関するものである。
【背景技術】
【０００２】
従来より知られるキャリーバッグは、下面に転動自在なキャスターを有し伸縮式の引き手を備えた形式である。そのようなものにおいて、小物類を収納しようとした場合に、その都度、バッグの本体部を開閉するのは面倒であるため、バッグの外面に小物類を収納させるためのポケットが付設されていれば好都合である。そのようなキャリーバッグはよく知られるところであるが、一例としては、下記特許文献１が挙げられる。
【先行技術文献】
【特許文献】
【０００３】
【特許文献１】特開２００２−１２５７４１号公報
【考案の概要】
【考案が解決しようとする課題】
【０００４】
ところで、バッグのポケットはバッグの本体部がナイロン等の比較的柔らかな素材で縫製されている場合には、形成が容易であるが、防犯性を優先してバッグがアルミ合金あるいはポリカーボネートなどの比較的剛性の高い素材で形成されるようなものでは、バッグの外面にポケットを設けることは困難である。このため、簡易的に小物類を収納させようとする場合に使い勝手の悪さを感じるところとなっていた。
【０００５】
本考案は上記のような事情に基づいて完成されたものであって、使い勝手を向上させることができるバッグ用カバーを提供することを目的とする。
【課題を解決するための手段】
【０００６】
本考案のバッグ用カバーは、バッグとは別個に設けられ、前記バッグの外面に取付け可能なバッグ用カバーであって、小物類を収容するための収容部が形成されているところに特徴を有する。
【考案の効果】
【０００７】
本考案によれば、バッグ自体には小物類を収納する部位がなくとも、カバーをバッグに装着すれば、バッグ外面に収容機能を付加することができ、バッグの使い勝手を向上させることができる。
【図面の簡単な説明】
【０００８】
【図１】実施例１におけるバッグとカバーとを示す斜視図
【図２】バッグにカバーを装着した状態を示す斜視図
【図３】実施例２におけるカバーを示す斜視図
【図４】実施例３におけるカバーを示す斜視図
【図５】カバーをバッグに被せ付けた状態の正面図
【考案を実施するための形態】
【０００９】
本考案における好ましい実施の形態を説明する。
（１）本考案のバッグ用カバーは、バッグに被せ付け可能な袋状の形態をなすようにしてもよい。
このような構成によれば、カバーはバッグに被せ付けるだけで簡単に装着することができるため、使い勝手に優れる。
（２）バッグは伸縮可能な引き手とキャスターとを備えたキャリーバッグであることが好ましい。
このような構成によれば、引き手を伸長して引っ張り操作すれば、キャスターが転動してバッグを容易に搬送することができる。
（３）カバーは、バッグの上面側から被せ付け可能な袋状に形成されるとともに、引き手を挿通可能な開口部が形成されているとよい。
このような構成によれば、引き手を有するキャリーバッグの場合、カバーは引き手を開口部から外部に引き出して装着することができるため、カバーを見栄えよく装着することができる。
（４）バッグの上面側から被せ付けるための開口面の縁部には、開閉可能なスライド式ファスナーが設けられるようにしてもよい。
このような構成によれば、スライド式ファスナーを開放しておくことで、バッグの開口部を広げることができるため、バッグへの被せ付けを容易に行うことができる。
（５）カバーの前面に犬等を模した立体キャラクターが取付けられるようにしてもよい。
このような構成によれば、カバーの装飾効果を高めることができ、犬等を連れているようにも見える。
（６）立体キャラクターは、内部への空気の注入および抜き取りによって膨張・収縮が可能となっているとよい。
このような構成によれば、立体キャラクターが不要のときは空気を抜き取ることによって簡単にコンパクトにすることができる。
【００１０】
＜実施例１＞
図１において、キャリーバッグＣは本体部１を有している。本体部１は全体としてボックス状に形成されており、内部には被収容物の収納空間（図示しない）が形成されているが、外面には小物類を収納するための収納部を備えていない。本体部１は基部１Ａと蓋部１Ｂとから構成されており、それぞれは、高剛性の樹脂材（例えば、ポリカーボネート製）にて成形されている。基部１Ａは一側面が開口して形成されている。蓋部１Ｂは基部１Ａにヒンジを介して取り付けられ、基部１Ａの開口面を開閉可能である。なお、図示はしないが、蓋部１Ｂにはロック機構が設けられていて、蓋部１Ｂを閉止状態にロックすることができる。
【００１１】
本体部１（基部１Ａ）の下面における各コーナ部には転動可能なキャスター２がそれぞれ取り付けられている。本体部１の基部１Ａにおいて、蓋部１Ｂによって閉止される側と反対側の面には引き手３が組込まれている。引き手３は一対のアーム部３Ａとアーム部３Ａの上端同士を連結する連結部３Ｂとからなっている。引き手３は本体部１の内部に格納されて連結部３Ｂのみを露出させる格納位置と、本体部１から上方へ引き出されて本体部１から突出する使用位置との間を伸縮（変位）可能となっている。また、本体部１の上面には取っ手４が取付けられている。取っ手４は、常にはその両端部が本体部１内へ引き込まれるように付勢され、本体部１の上面から僅かに突出する程度に収容されているが、付勢力に抗して引っ張り上げて握り操作することができる。
【００１２】
カバー５は柔軟性を有する樹脂製（例えば、ナイロン製）のシート材にて縫製されている。カバー５は、本体部１を上面側から被せ付けることができるよう、下面側へ開口するような袋状に縫製されている。カバー５は、本体部１の４つの側面にそれぞれ適合可能な側面部５Ａと、本体部１の上面に適合可能な上面部５Ｂとからなっている。各側面部５Ａは相互、及び全側面部５Ａと上面部５Ｂ相互とはいずれも縫い合わされている。なお、カバー５は使用しないときには小さく折り畳んで本体部１内に収容しておくことができる。
【００１３】
カバー５の上面部５Ｂには、本体部１の引き手３及び取っ手４と対応する位置に、開口部７が開口して形成されていて、引き手３および取っ手４をそれぞれ挿通させることができる。また、カバー５の側面部５Ａのうち引き手３が格納されている側の面を除く三面には、小物類を収納するための収納部６が設けられている。各収納部６は、カバー５と同材質（異材質であってもよい。）よりなる方形状のシート材を、その上縁を除く他の三縁（下縁と左右両側縁）を縫い付けることによってポケット状に形成されていて、上縁の開口から小物類を内部に差し入れて収納させることができる。なお、これら収納部６は、上縁にファスナー等の開閉手段を設けるようにしてもよい。
【００１４】
次に、上記のように構成された本実施例１の作用効果を説明すると、カバー５を使用する場合には、カバー５をバッグの本体部１の上面側から被せ付ける。その場合には、引き手３及び取っ手４を対応する開口部７へ挿通させるようにする。こうして、カバー５をバッグ全体に被せ付け、引き手３を伸長させておけば、カバー５を装着したままキャリーバッグＣとして使用することができる。そして、バッグの本体部１にカバー５を装着することで小物類を収納部６に収納させることができる。このように、カバー５の装着により、バッグの本体部１に対し簡易な収納場所を提供することができるため、バッグの使い勝手を向上させることができる。
【００１５】
また、カバー５は付け替えが可能であるため、例えば色彩・模様が異なる等、複数種のカバー５を用意して適宜に選択してカバー５に付け替えるようにすれば、複数のデザインを楽しむこともできる。
【００１６】
このように、バッグ自体は外面に小物収納部６を備えない形式であっても、カバー５を装着することで、小物類を収納可能な形式のものに転換することができる。したがって、依然として貴重品は剛性の高い、つまり防犯性の高いバッグの本体部１内に収納させることができるため、高い防犯性を維持しつつ簡易な収納機能を付加することができる。
【００１７】
＜実施例２＞
図３は本考案の実施例２を示している。実施例２はカバー１０の側面部１０Ａのうち前面に位置するものにおいて、図示左縁寄りの位置に縦向きにファスナー１１を設けたものである。ファスナー１１を開放することで、カバー１０における下面の開口面Ｋが拡張されるため、バッグの本体部１への被せ付けを容易に行うことができる効果が発揮される。
【００１８】
他の構成は実施例１と同様であり、もって同様の作用効果を発揮することができる。
【００１９】
＜実施例３＞
図４及び図５は本考案の実施例３を示している。実施例３では、カバー２０の前面に犬を模した立体キャラクター２１を取付けたものである。この立体キャラクター２１はカバー２０と同材質のシート材によって袋状に形成されており、その一部に形成された空気注入口（図示しない）から内部に空気を注入することで、図示のような犬型の形態に膨らますことができる。逆に、空気を抜き取ることで窄み、小さく折り畳むことができる。
【００２０】
詳細には図示されないが、立体キャラクター２１はその背面側の一部が、カバー２０の前面に設けられた専用の収納部（図示しない）の内部に接着剤によって接続されている。したがって、立体キャラクター２１の空気を抜いて折り畳めば、カバー２０の前面の収納部内にそのまま収容することができる。
【００２１】
また、本実施例の場合、立体キャラクター２１は図５に示す正面視においてカバー２０をほぼ覆い隠す程度の大きさに形成され、引き手３のみが上方へ突出するように形成される一方、各脚部下端が地面から僅かに離れる程度に設定されている。したがって、同図に示すように、遠目に犬を連れて散歩しているように錯覚させることもできる。
【００２２】
他の構成は実施例１、２と同様であり、もって同様の作用効果を発揮することができる。
【００２３】
＜他の実施例＞
本考案は上記記述及び図面によって説明した実施例に限定されるものではなく、例えば次のような実施例も本考案の技術的範囲に含まれる。
（１）上記実施例では、カバーをキャリーバッグに使用したが、手提げ式のバッグに使用しても良い。
（２）上記実施例では、収納部６をカバーの三面に対し一つずつ設けたが、各面に複数あるいは特定の面には設けない等、収納部６の数および配置は限定されるべきものではない。
（３）上記実施例２では、ファスナー１１をカバー１０の前面の幅方向片側の一箇所にのみ設けたが、幅方向両側に設けてもよい。また、ファスナー１１はジッパー式のものに限らず、面ファスナーを用いてもよい。
（４）上記実施例３では、立体キャラクター２１はカバー２０に接着剤により取り外し不能な状態で取り付けられるようにしたが、例えば面ファスナーを用いて取り外し可能な形式としてもよい。
【符号の説明】
【００２４】
１…本体部
２…キャスター
３…引き手
５，１０，２０…カバー
６…収納部
１１…ファスナー
２１…立体キャラクター
【図１】
0003185271.tif 000003
【図２】
0003185271.tif 000004
【図３】
0003185271.tif 000005
【図４】
0003185271.tif 000006
【図５】
0003185271.tif 000007